(57)【要約】【課題】漏電遮断器に搭載したテスト回路用プリント板について、該プリント板にコートした保護用レジストが短絡遮断時のアーク熱によってカーボン化することがないようにレジスト材料を選定し、短絡遮断後の再投入時に遮断器が不測にトリップする誤動作を防止して本来の地絡保護機能の信頼性向上を図る。【解決手段】基板１５ａの配線表面にレジスト１５ｂをコートして回路パターンを保護したテスト回路用プリント板１５にテストスイッチ９の固定接点９ａおよび可動接点９ｂを  実装した上で、該プリント板を遮断器ケースに内装し、前記テストスイッチを遮断器のケースカバーに設けたテストボタンでＯＮ操作するようにしたテスト回路付きの漏電遮断器において、前記レジスト１５ｂの材料として、遮断器の短絡遮断時に生じるアーク熱でカーボン化しない高耐熱性樹脂としてフッ素系樹脂をプリント板にコートする。【選択図】        図１
2006147304.tif 000002
【特許請求の範囲】
【請求項１】
漏電テスト回路を装備した漏電遮断器であり、基板の配線表面にレジストをコートして回路パターンを保護したテスト回路用プリント板にテストスイッチの固定接点および可動接点を実装した上で、該プリント板を遮断器ケースに内装し、前記テストスイッチを遮断器のケースカバーに設けたテストボタンでＯＮ操作するようにしたものにおいて、
前記レジストの材料として、遮断器の短絡遮断時に生じるアーク熱でカーボン化しない高耐熱性の樹脂をプリント板にコートしたことを特徴とする漏電遮断器。
【請求項２】
請求項１記載の漏電遮断器において、レジスト材料がフッ素系樹脂であることを特徴とする漏電遮断器。
【発明の詳細な説明】
【技術分野】
【０００１】
本発明は、低電圧配電系統の地絡保護に用いる漏電遮断器に関し、詳しくは漏電遮断器に搭載したテスト回路に係わる。
【背景技術】
【０００２】
周知のように頭記の漏電遮断器には、実使用の状態で遮断器の地絡保護機能の健全性を確認するためにテスト回路を装備している。このテスト回路は、テストスイッチの操作により漏電遮断器の主回路に介装した零相変流器に不平衡電流を流して漏電引外し動作が正常に行われるか否かを確かめるもので、前記テストスイッチの固定接点，可動接点をテスト回路用のプリント板に実装した構造としてこのプリント板を遮断器ケースに内装し、遮断器のケースカバーに備えたテストボタンを押してテストスイッチをＯＮ操作するようにした構成のものが知られている（例えば、特許文献１参照）。
次に、前記のテスト回路を備えた漏電遮断器の回路図を図２に示す。図２において、１は漏電遮断器の主回路、１ａ，１ｂは電源側および負荷側の主回路端子、２は主回路接点、３は過電流保護用の引外しコイルユニット、４は主回路１に介装した零相変流器、５は零相変流器４の二次側に接続して配電電路に流れる不平衡電流を検出する漏電検出回路、６はトリップコイル、７がテスト回路である。
【０００３】
このテスト回路７では、零相変流器４の鉄心に鎖交させたテストコイル８を、押ボタン式のテストスイッチ（自動復帰形）９および限流抵抗１０を介して主回路の相間に接続した回路になり、実際の製品では後記のようにテストスイッチ９の固定接点，可動接点をテスト回路用のプリント板に実装した上で、このプリント板を遮断器ケースに内装し、ケースカバーに配したテストボタンを押してテストスイッチをＯＮ操作するようにしている。なお、テスト回路の動作，機能については周知であり、ここではその説明は省略する。
また、図３，図４は前記のテスト回路を装備した漏電遮断器の全体図であり、１１は遮断器ケース、１２はケースカバー、１３は操作ハンドル、１４はケースカバー１２に配したテストボタンであり、図示してないが遮断器ケース１１には漏電遮断器の各機能部品が組み込まれ、さらにケースカバー１２に設けたテストボタン１４に対向して遮断器ケース１１の上面側には前記テストスイッチ９の固定，可動接点を実装したテスト回路用プリント板１５を配置し、この位置でケース外方からテストボタン１４を押してテストスイッチ９をＯＮ操作するようにしている。
【０００４】
次に、テスト回路用プリント板１５の構造を図１（ａ），（ｂ）に示す。すなわち、プリント基板１５ａに形成した回路パターンを覆って基板の配線表面にレジスト１５ｂを印刷して絶縁性の保護膜を形成した上で、テストスイッチ９の固定接点９ａ，および板バネ式の可動接点９ｂを実装した構成になる。ここで、前記のレジスト１５ｂとして、従来のプリント板１５ではエポシキ系樹脂を主成分とする市販のソルダーレジストをスクリーン印刷法などにより基板１５ａの配線表面にコートしている。
【特許文献１】特開２０００−３６６０号公報
【発明の開示】
【発明が解決しようとする課題】
【０００５】
ところで、テスト回路に前記のプリント板を採用した漏電遮断器について、特に高感度（定格感度電流：２０〜３０ｍＡ）の漏電遮断器では、実使用状態での短絡遮断後に遮断器を再投入して電源電圧を印加すると、テストボタンを押してないにもかかわらず遮断器が不測にトリップ動作してしまうトラブルの発生事例が報告されている。そこで、発明者等はトラブル発生の要因について究明したところ、次記のことが判明した。
すなわち、前記トラブルが発生した漏電遮断器の内部の状態を調べたところ、図１に示したテスト回路のプリント板１５にコートしたレジスト（エポキシ系樹脂）１５ｂの表面がカーボン化しているのが認められた。これは、遮断器の短絡遮断時には主回路接点間に生じたアークの高温熱により、短時間であるが遮断器ケースの内部温度が高温（６００℃以上）となり、この高温熱に晒されたプリント板１５のレジスト１５ｂが熱分解して表面がカーボン化するものと推測される。このために、プリント板１５に実装したテストスイッチ９の固定接点９ａと可動接点９ｂの間の沿面絶縁耐力が低下し、電流遮断器後に漏電遮断器を再投入してテスト回路に電源電圧を印加した際に、プリント板１５にトラッキングが生じてテスト回路７（図２参照）に漏電遮断器の定格感度電流に相当する不平衡電流が流れ、これを漏電検出回路５が検出して漏電遮断器が不測にトリップ動作してしまうことがある。
【０００６】
本発明は上記の点に鑑みなされたものであり、その目的は漏電遮断器に搭載したテスト回路用プリント板について、該プリント板の基板表面にコートした保護用レジストが短絡遮断時のアーク熱によってカーボン化することがないようにレジスト材料を選定し、短絡遮断後の再投入時に遮断器が不測にトリップする誤動作を防止して本来の地絡保護機能の信頼性向上を図った漏電遮断器を提供することにある。
【課題を解決するための手段】
【０００７】
上記目的を達成するために、本発明によれば、基板の配線表面にレジストをコートして回路パターンを保護したテスト回路用プリント板にテストスイッチの固定接点および可動接点を実装した上で、該プリント板を遮断器ケースに内装し、前記テストスイッチを遮断器のケースカバーに設けたテストボタンでＯＮ操作するようにしたテスト回路付きの漏電遮断器において、
前記レジストの材料として、遮断器の短絡遮断時に生じるアーク熱でカーボン化しない高耐熱性の樹脂をプリント板にコートするものとし（請求項１）、具体的な態様として前記レジスト材料にフッ素系樹脂を採用する（請求項２）。
【発明の効果】
【０００８】
上記のように、テストスイッチの固定接点，可動接点を実装したテスト回路用プリント板の保護用レジストとして、従来のエポキシ系樹脂に比べ耐熱性の高いフッ素系樹脂のレジストをコートしておくことにより、プリント板が遮断器の短絡遮断時のアーク熱に晒されてもレジストの表面がカーボン化してテストスイッチの接点間の沿面絶縁耐力が低下することがなく、これにより短絡遮断後に遮断器を再投入して電源電圧を印加しても、テストスイッチをＯＮ操作しない状態ではテスト回路にリーク電流が流れて漏電遮断器が不測にトリップする誤動作トラブルを防止して漏電遮断器の信頼性を高めることができる。
しかも、フッ素系樹脂は、市販されている特殊な高耐熱性樹脂に比べて安価に入手でき、かつスクリーン印刷法などによりプリント板へのコートも容易に行える利点がある。
【発明を実施するための最良の形態】
【０００９】
以下、本発明の実施の形態を図１を援用して説明する。すなわち、テストスイッチ９の固定接点９ａ，可動接点９ｂを実装したテスト回路用プリント板１５について、その基板１５ａの配線表面に印刷してコートしたレジスト１５ｂの材料として、本発明では従来のエポキシ系樹脂に代えて、高耐熱性のフッ素系樹脂を採用するものとする。
これにより、遮断器ケース内に配したプリント板１５が遮断器の短絡遮断時に発生する高温のアーク熱に晒されても、プリント板１５にコートしたレジスト１５ｂが熱分解してカーボン化することがなく、プリント板１５に実装したテストスイッチ９の固定接点９ａと可動接点９ｂとの間の沿面絶縁耐力を高い状態に保持できる。
なお、前記のようにフッ素系樹脂のレジストをコートしたプリント板を漏電遮断器のケースに内装して行った実機テストで検証した結果でも、遮断器の短絡遮断後にレジストのカーボン化が見られず、また短絡遮断後に遮断器を再投入して電源電圧を印加してもテスト回路に不平衡電流が流れて遮断器が不測にトリップ動作しないことが確認されている。
【図面の簡単な説明】
【００１０】
【図１】漏電遮断器に搭載するテスト回路用プリント板の構成図で、（ａ），（ｂ）はそれぞれ平面図，および側面図
【図２】テスト回路を備えた漏電遮断器の回路図
【図３】テストスイッチを搭載した漏電遮断器の外観斜視図
【図４】図３におけるケースカバーの一部を外した状態での外観斜視図
【符号の説明】
【００１１】
９    テストスイッチ
９ａ  固定接点
９ｂ  可動接点
１５    テスト回路用プリント板
１５ａ  プリント基板
１５ｂ  レジスト
【図１】
2006147304.tif 000003
【図２】
2006147304.tif 000004
【図３】
2006147304.tif 000005
【図４】
2006147304.tif 000006